(57)【要約】【課題】長期にわたって安定した品質を確保し易くすることができる合成床版を提供すること。【解決手段】合成床版１０は、水平方向に延在する底板部材１１、該底板部材１１の両側端から上方に向けて延在する一対の側板部材１２を有する基体１３と、該基体１３内に充填されたコンクリート部材１４と、を備え、底板部材１１と側板部材１２との接続部分１５には、側板部材１２とコンクリート部材１４との間の境界面３７に浸入する水を、当該合成床版１０の外部に排出する排水空間２４が配設されている。【選択図】図２
2013163950.tif 000002
【特許請求の範囲】
【請求項１】
水平方向に延在する底板部材、該底板部材の両側端から上方に向けて延在する一対の側板部材を有する基体と、
該基体内に充填されたコンクリート部材と、を備える合成床版であって、
前記底板部材と前記側板部材との接続部分には、前記側板部材と前記コンクリート部材との間の境界面に浸入する水を、当該合成床版の外部に排出する排水空間が配設されていることを特徴とする合成床版。
【請求項２】
請求項１記載の合成床版であって、
前記接続部分には、前記排水空間を画成するとともに前記底板部材と前記側板部材とを接続する接続部材が配設され、
該接続部材は、前記側板部材に固定される側部と、該側部から水平方向に沿った当該合成床版の内側に向けて突出し前記底板部材に固定される底部と、を備えていることを特徴とする合成床版。
【請求項３】
請求項２記載の合成床版であって、
前記底部は、前記底板部材との間に前記排水空間を画成するように、前記底板部材から下方に離間して配設されていることを特徴とする合成床版。
【請求項４】
請求項３記載の合成床版であって、
前記底部は、前記内側に向かうに従い漸次、下方に向けて延在していることを特徴とする合成床版。
【請求項５】
請求項３または４に記載の合成床版であって、
前記側部または前記側板部材と、前記底板部材の側端と、の間には、前記排水空間に連通する排水隙間が設けられていることを特徴とする合成床版。
【請求項６】
請求項５に記載の合成床版であって、
前記排水隙間は、その下方から前記底部により覆われていることを特徴とする合成床版。
【請求項７】
請求項５または６に記載の合成床版であって、
前記排水隙間には、生コンクリートの流通を規制する流通制御部材が配設されていることを特徴とする合成床版。
【請求項８】
請求項３から７のいずれか１項に記載の合成床版であって、
前記底板部材の下面と前記底部の上面との間には、スペーサ部材が挟持されていることを特徴とする合成床版。
【請求項９】
請求項１から８のいずれか１項に記載の合成床版を備えていることを特徴とする橋梁。
【発明の詳細な説明】
【技術分野】
【０００１】
本発明は、合成床版および橋梁に関する。
【背景技術】
【０００２】
従来から、例えば下記特許文献１に示されるような、水平方向に延在する底鋼板と、該底鋼板の側端から上方に向けて延在する側鋼板と、底鋼板上に設けられたコンクリート部材と、側鋼板とコンクリート部材の境界面からの水の浸入を防止するための浸水防止装置と、を備える合成床版が知られている。前記浸水防止装置は、前記境界面に取り付けられる板状部材と、前記境界面で板状部材と側鋼板との間に挟まって取り付けられるシール材と、を備えている。
【先行技術文献】
【特許文献】
【０００３】
【特許文献１】特開２０１０−１９０３５号公報
【発明の概要】
【発明が解決しようとする課題】
【０００４】
しかしながら、前記従来の浸水防止装置では、シール材の施工の良否について確認が困難である上、シール材の施工不良があった場合には水の浸入を防止できず、さらに、シール材が劣化した場合も水の浸入を防止できなかった。合成床版内に浸入した水は、底鋼板上に滞留し、例えばコンクリート部材を劣化させたり、底鋼板を錆びさせたり等するため、合成床版の品質を長期にわたって維持することは困難であった。
【０００５】
本発明は、前述した事情に鑑みてなされたものであって、その目的は、長期にわたって安定した品質を確保し易くすることができる合成床版を提供することである。
【課題を解決するための手段】
【０００６】
前記課題を解決するために、本発明は以下の手段を提案している。
請求項１に係る合成床版は、水平方向に延在する底板部材、該底板部材の両側端から上方に向けて延在する一対の側板部材を有する基体と、該基体内に充填されたコンクリート部材と、を備える合成床版であって、前記底板部材と前記側板部材との接続部分には、前記側板部材と前記コンクリート部材との間の境界面に浸入する水を、当該合成床版の外部に排出する排水空間が配設されていることを特徴とする。
【０００７】
また、請求項２に係る合成床版は、前記接続部分には、前記排水空間を画成するとともに前記底板部材と前記側板部材とを接続する接続部材が配設され、該接続部材は、前記側板部材に固定される側部と、該側部から水平方向に沿った当該合成床版の内側に向けて突出し前記底板部材に固定される底部と、を備えていることを特徴とする。
【０００８】
また、請求項３に係る合成床版は、前記底部は、前記底板部材との間に前記排水空間を画成するように、前記底板部材から下方に離間して配設されていることを特徴とする。
【０００９】
また、請求項４に係る合成床版は、前記底部は、前記内側に向かうに従い漸次、下方に向けて延在していることを特徴とする。
【００１０】
また、請求項５に係る合成床版は、前記側部または前記側板部材と、前記底板部材の側端と、の間には、前記排水空間に連通する排水隙間が設けられていることを特徴とする。
【００１１】
また、請求項６に係る合成床版は、前記排水隙間は、その下方から前記底部により覆われていることを特徴とする。
【００１２】
また、請求項７に係る合成床版は、前記排水隙間には、生コンクリートの流通を規制する流通制御部材が配設されていることを特徴とする。
【００１３】
また、請求項８に係る合成床版は、前記底板部材の下面と前記底部の上面との間には、スペーサ部材が挟持されていることを特徴とする。
【００１４】
また、請求項９に係る橋梁は、前記合成床版を備えていることを特徴とする。
【発明の効果】
【００１５】
請求項１に係る発明によれば、前記接続部分に前記排水空間が形成されているので、側板部材とコンクリート部材との間の境界面に浸入した水を、排水空間から当該合成床版の外部に排出することが可能になり、この水が底板部材上に滞留するのを抑えることができる。これにより、例えば合成床版内に浸入した水により、コンクリート部材が劣化させられること等が抑えられ、長期にわたって安定した品質を確保し易くすることができる。
なおコンクリート部材が、基体内に打設された生コンクリートが凝固されてなり、基体を打設時の型枠としても用いるような構成では、合成床版内に浸入した水が外部に排出され難くなっていることから、前述の作用効果が顕著に奏功されることとなる。
【００１６】
請求項２に係る発明によれば、接続部材が、前記側部と前記底部とを備えているので、底板部材と側板部材とを接続するに際し、側部および底部をそれぞれ、側板部材および底板部材に各別に容易に固定することが可能になり、底板部材と側板部材との接続作業の簡便化を図ることができる。
【００１７】
請求項３に係る発明によれば、底部が、底板部材との間に排水空間を画成するように、底板部材から下方に離間して配設されているので、排水空間が底板部材の下方に画成されることとなり、例えば排水空間の大きさや形状を自由度高く変更すること等ができる。これにより、合成床版の形態に応じて排水空間を多様に形成することが可能になり、合成床版の形態によらず排水空間からの排水を円滑なものにすることができる。
【００１８】
請求項４に係る発明によれば、底部が、水平方向に沿った当該合成床版の内側に向かうに従い漸次、下方に向けて延在しているので、排水空間に排出された底部上の水を、底部の突端側に向けて流動させ易くすることが可能になり、排水空間から外部への排水を円滑なものとすることができる。
【００１９】
請求項５に係る発明によれば、側部または側板部材と、底板部材の側端と、の間に、前記排水隙間が設けられているので、側板部材とコンクリート部材との間の境界面に浸入した水を、排水隙間を通して排水空間に排出することが可能になり、排水空間への排水を円滑なものとすることができる。
【００２０】
請求項６に係る発明によれば、排水隙間が、その下方から底部により覆われているので、この排水隙間から露出するコンクリート部材を外部から視認させ難くすることが可能になり、美観性を向上させることができる。
【００２１】
請求項７に係る発明によれば、排水隙間に、前記流通制御部材が配設されているので、流通制御部材により、コンクリート部材となる生コンクリートを基体内に打設するときにこの生コンクリートが流出するのを規制することが可能になり、施工性を向上させることができる。
【００２２】
請求項８に係る発明によれば、底板部材の下面と底部の上面との間にスペーサ部材が挟持されているので、スペーサ部材の大きさに応じて排水空間の大きさを高精度に確保し易くすることが可能になり、排水空間から外部への排水を一層円滑なものとすることができる。
【００２３】
請求項９に係る発明によれば、前記合成床版を備えているので、長期にわたって安定した品質を確保し易くすることができる。
【図面の簡単な説明】
【００２４】
【図１】本発明の一実施形態に係る合成床版を示す斜視図である。
【図２】図１に示す合成床版の要部の拡大断面図である。
【図３】図１に示す合成床版の要部の拡大断面図である。
【図４】図１に示す合成床版の要部の分解斜視図である。
【図５】図１に示す合成床版の製造方法に係る工程図である。
【図６】図１に示す合成床版の製造方法に係る工程図である。
【図７】図１に示す合成床版の製造方法に係る工程図である。
【図８】図１に示す合成床版の製造方法に係る工程図である。
【図９】図１に示す合成床版の製造方法に係る工程図である。
【図１０】本発明の変形例に係る合成床版を示す斜視図である。
【図１１】本発明の変形例に係る合成床版を示す斜視図である。
【発明を実施するための形態】
【００２５】
以下、図面を参照し、本発明の一実施形態に係る合成床版を説明する。
図１に示すように、合成床版１０は、水平方向に延在する底鋼板（底板部材）１１、該底鋼板１１の両側端１１ａから上方に向けて延在する一対の側鋼板（側板部材）１２を有する基体１３と、該基体１３内に充填された床版コンクリート（コンクリート部材）１４と、を備えている。図示の例では、合成床版１０は、主桁Ａ上に配置されており、これらの主桁Ａおよび合成床版１０により、橋梁Ｂが構成されている。
【００２６】
基体１３の縦断面視形状は、上方に向けて開口する扁平Ｕ字状となっている。
床版コンクリート１４の縦断面形状は、水平方向に長い矩形状となっており、床版コンクリート１４は、基体１３内に打設された生コンクリートが凝固されてなる。なお、床版コンクリート１４の上面に、図示しない舗装部を全面にわたって設けてもよく、この舗装部と床版コンクリート１４の上面との間に防水層をさらに設けてもよい。また床版コンクリート１４として、例えば鉄筋コンクリート構造などを採用してもよい。
床版コンクリート１４における水平方向の側端部には、高欄Ｃが立設されている。高欄Ｃは、例えばコンクリート製や鋼製などであってもよい。
【００２７】
図２および図３に示すように、底鋼板１１と側鋼板１２との接続部分１５には、底鋼板１１と側鋼板１２とを接続するベンドプレート（接続部材）１６が配設されている。このベンドプレート１６は、側鋼板１２に固定される縦板部（側部）１７と、縦板部１７から水平方向に沿った当該合成床版１０の内側（以下、「水平方向の内側」という）に向けて突出し底鋼板１１に固定される横板部（底部）１８と、を備えている。
【００２８】
ベンドプレート１６は、縦板部１７および横板部１８が一体成形されてなり、ベンドプレート１６の縦断面視形状は、Ｌ字状となっている。
縦板部１７は、側鋼板１２よりも水平方向の内側に配置されており、縦板部１７において水平方向に沿った当該合成床版１０の外側（以下、「水平方向の外側」という）を向く外面は、側鋼板１２において水平方向の内側を向く内面に当接している。
【００２９】
また図２〜図４に示すように、縦板部１７は、第１締結手段１９により側鋼板１２に固定されている。第１締結手段１９には、側鋼板１２の内面から水平方向の内側に向けて突設され、縦板部１７に水平方向に貫設された第１挿通孔２０に挿通される第１ボルト２１と、この第１ボルト２１に挿通されるとともに縦板部１７の内面上に位置する第１平ワッシャー２２と、第１ボルト２１に螺着され、縦板部１７および第１平ワッシャー２２を側鋼板１２との間で挟持する第１ナット２３と、を備えている。
【００３０】
第１ボルト２１は、側鋼板１２に例えば溶接などにより固着されている。また第１ボルト２１は、第１挿通孔２０よりも小径となっており、これらの第１ボルト２１と第１挿通孔２０との鉛直方向の相対的な位置関係を調整することにより、底鋼板１１に対する側鋼板１２の鉛直方向の位置が調整可能となっている。
【００３１】
図２および図３に示すように、横板部１８は、縦板部１７の下端から突設されており、底鋼板１１との間に、当該合成床版１０の外部に連通する排水空間２４を画成するように、底鋼板１１から下方に離間して配設されている。図示の例では、排水空間２４は、水平方向の内側に向けて開口している。
【００３２】
また横板部１８は、水平方向の内側に向かうに従い漸次、下方に向けて延在している。図示の例では、底鋼板１１において横板部１８と対向する側端部が、水平方向に沿って直線上に延在するのに対し、横板部１８が、水平方向に対して直線状に傾斜しており、前記排水空間２４は、水平方向の外側から内側に向かうに従い漸次、鉛直方向の大きさが大きくなっている。
【００３３】
また図２〜図４に示すように、横板部１８は、第２締結手段２５により底鋼板１１に固定されるとともに、底鋼板１１の下面と横板部１８の上面との間には、スペーサ部材２６が挟持されている。
【００３４】
第２締結手段２５には、横板部１８の上面から上方に向けて突設され、底鋼板１１に鉛直方向に貫設された第２挿通孔３１に挿通される第２ボルト２７と、この第２ボルト２７に挿通されるとともに底鋼板１１の上面上に位置する第２平ワッシャー２８、および第２平ワッシャー２８上に位置する第２テーパワッシャー２９と、第２ボルト２７に螺着され、底鋼板１１、第２平ワッシャー２８、第２テーパワッシャー２９およびスペーサ部材２６を横板部１８との間で挟持する第２ナット３０と、を備えている。
【００３５】
第２ボルト２７は、横板部１８に例えば溶接などにより固着されている。また第２ボルト２７は、第２挿通孔３１よりも小径となっており、これらの第２ボルト２７と第２挿通孔３１との水平方向の相対的な位置関係を調整することにより、底鋼板１１に対する側鋼板１２の水平方向の位置が調整可能となっている。
【００３６】
スペーサ部材２６は、第２ボルト２７の下端部に螺着されるとともに横板部１８上に配設された第３ナット３２と、第２ボルト２７において第３ナット３２と底鋼板１１との間に位置する部分に下方から上方に順に挿通された第３テーパワッシャー３３および第３平ワッシャー３４と、を備えている。
【００３７】
ここで図２および図３に示すように、縦板部１７と底鋼板１１の側端１１ａとの間には、排水空間２４に連通する排水隙間３５が設けられている。排水隙間３５は、底鋼板１１の側端１１ａがその全長にわたって縦板部１７から水平方向の内側に離間することで、縦板部１７と底鋼板１１の側端１１ａとの間に設けられている。この排水隙間３５は、その下方から横板部１８により覆われている。
【００３８】
また排水隙間３５には、生コンクリートの流通を規制する流通制御部材３６が配設されている。この流通制御部材３６は、排水隙間３５の全域にわたって配設されるとともに、基体１３に例えば接着などにより固定されている。流通制御部材３６の縦断面視形状は、Ｌ字状となっており、縦板部１７および底鋼板１１に各別に固定されている。
【００３９】
なお流通制御部材３６としては、例えば水の流通を許容する透水層を備えるシート材などを採用してもよい。このようなシート材を流通制御部材３６に採用した場合、透水層に生コンクリートが含浸して固化することで流通制御部材３６と床版コンクリート１４とが一体になっていてもよい。また透水層に、例えば網目状などに形成された補強層が積層されていてもよい。
【００４０】
以上のように構成された合成床版１０では、側鋼板１２と床版コンクリート１４との間の境界面３７に浸入した水は、この境界面３７、およびベンドプレート１６の縦板部１７と床版コンクリート１４の間の境界面３８を上方から下方に伝った後、排水隙間３５に到達する。排水隙間３５に到達した水は、排水隙間３５を通して排水空間２４に排出され、例えば縦板部１７の内面を伝って横板部１８の上面に至る。ここで横板部１８が、水平方向の内側に向かうに従い漸次、下方に向けて延在しているので、横板部１８上の水は、横板部１８の突端１８ａ側に向けて流動し易くなっており、横板部１８の突端１８ａから当該合成床版１０の外部に排出される。このように前記排水空間２４は、側鋼板１２と床版コンクリート１４との間の境界面３７に浸入する水を、当該合成床版１０の外部に排出する。
なお前記境界面３７、３８、縦板部１７の内面および横板部１８の上面を伝い、底鋼板１１の上面を伝うことなく当該合成床版１０の外部に排出される水は、底鋼板１１の横断勾配によらず外部に円滑に排出されることとなる。
【００４１】
次に、前記合成床版１０の製造方法の一例として、図５に示すような主桁Ａ上に前記合成床版１０を設ける場合について説明する。
【００４２】
はじめに図６に示すように、例えば工場などで底鋼板１１を製造する。またこのとき、底鋼板１１にベンドプレート１６を固定する。
その後、図７に示すように、底鋼板１１を主桁Ａ上に搬送して主桁Ａに設置する。このとき、前述のように底鋼板１１にベンドプレート１６を固定しておくことで、高所作業に要する工数が低減される。なお、予め底鋼板１１にベンドプレート１６を固定しておかずに、底鋼板１１を主桁Ａ上に搬送した後に固定してもよい。
【００４３】
そして図８に示すように、側鋼板１２をベンドプレート１６に固定して基体１３を形成した後、図９に示すように、基体１３内に生コンクリートを打設して凝固させ、床版コンクリート１４を形成する。
ここで、基体１３内に生コンクリートを打設する前までに、図３に示すように、流通制御部材３６を排水隙間３５に配設しておく。これにより、排水隙間３５からの生コンクリートの流出が規制される。
【００４４】
以上説明したように、本実施形態に係る合成床版１０および橋梁Ｂによれば、前記接続部分１５に前記排水空間２４が形成されているので、側鋼板１２と床版コンクリート１４との間の境界面３７に浸入した水を、排水空間２４から当該合成床版１０の外部に排出することが可能になり、この水が底鋼板１１上に滞留するのを抑えることができる。これにより、例えば合成床版１０内に浸入した水により、床版コンクリート１４が劣化させられること等が抑えられ、長期にわたって安定した品質を確保し易くすることができる。
なお本実施形態のように、床版コンクリート１４が、基体１３内に打設された生コンクリートが凝固されてなり、基体１３を打設時の型枠としても用いるような構成では、合成床版１０内に浸入した水が外部に排出され難くなっていることから、前述の作用効果が顕著に奏功されることとなる。
【００４５】
またベンドプレート１６が、前記縦板部１７と前記横板部１８とを備えているので、底鋼板１１と側鋼板１２とを接続するに際し、縦板部１７および横板部１８をそれぞれ、側鋼板１２および底鋼板１１に各別に容易に固定することが可能になり、底鋼板１１と側鋼板１２との接続作業の簡便化を図ることができる。
【００４６】
また横板部１８が、底鋼板１１との間に排水空間２４を画成するように、底鋼板１１から下方に離間して配設されているので、排水空間２４が底鋼板１１の下方に画成されることとなり、例えば排水空間２４の大きさや形状を自由度高く変更すること等ができる。これにより、合成床版１０の形態に応じて排水空間２４を多様に形成することが可能になり、合成床版１０の形態によらず排水空間２４からの排水を円滑なものにすることができる。
【００４７】
また横板部１８が、水平方向の内側に向かうに従い漸次、下方に向けて延在しているので、排水空間２４に排出された横板部１８上の水を、横板部１８の突端１８ａ側に向けて流動させ易くすることが可能になり、排水空間２４から外部への排水を円滑なものとすることができる。
さらに底鋼板１１の下面と横板部１８の上面との間にスペーサ部材２６が挟持されているので、スペーサ部材２６の大きさに応じて排水空間２４の大きさを高精度に確保し易くすることが可能になり、排水空間２４から外部への排水を一層円滑なものとすることができる。
【００４８】
また、縦板部１７と底鋼板１１の側端１１ａとの間に、前記排水隙間３５が設けられているので、側鋼板１２と床版コンクリート１４との間の境界面３７に浸入した水を、排水隙間３５を通して排水空間２４に排出することが可能になり、排水空間２４への排水を円滑なものとすることができる。
【００４９】
また排水隙間３５が、その下方から横板部１８により覆われているので、この排水隙間３５から露出する床版コンクリート１４を外部から視認させ難くすることが可能になり、美観性を向上させることができる。
【００５０】
また排水隙間３５に、前記流通制御部材３６が配設されているので、流通制御部材３６により、床版コンクリート１４となる生コンクリートを基体１３内に打設するときにこの生コンクリートが流出するのを規制することが可能になり、施工性を向上させることができる。
【００５１】
なお、本発明の技術的範囲は前記実施形態に限定されるものではなく、本発明の趣旨を逸脱しない範囲において種々の変更を加えることが可能である。
例えば、流通制御部材３６は、前記実施形態に示したものに限られない。さらに流通制御部材３６はなくてもよい。
【００５２】
また前記実施形態では、縦板部１７は、側鋼板１２よりも水平方向の内側に配置されているものとしたが、これに限られるものではなく、側鋼板１２よりも水平方向の外側に配置されていてもよい。
さらに前記実施形態では、縦板部１７と底鋼板１１の側端１１ａとの間に、前記排水隙間３５が設けられているものとしたが、これに限られず、排水隙間３５が、側鋼板１２と底鋼板１１の側端１１ａとの間に設けられていてもよい。
【００５３】
また前記実施形態では、横板部１８は、底鋼板１１との間に、当該合成床版１０の外部に連通する排水空間２４を画成するように、底鋼板１１から下方に離間して配設されているものとしたが、これに限られない。
例えば図１０に示す合成床版４０のように、ベンドプレート１６の縦板部１７が、側鋼板１２との間に前記排水空間２４を画成するように、側鋼板１２から水平方向の内側に離間して配設された状態で、前記第１締結手段１９により側鋼板１２に固定されていてもよい。なお、縦板部１７と側鋼板１２との間には、前述のようなスペーサ部材が挟持されていてもよい。
ここで図示の例では、ベンドプレート１６の横板部１８は、水平方向に沿って直線状に延在しており、ベンドプレート１６の横板部１８は、その下面が、底鋼板１１の上面に当接した状態で、前記第２締結手段２５により底鋼板１１に固定されている。
この合成床版４０では、側鋼板１２と床版コンクリート１４との間の境界面３７に浸入した水は、この境界面３７を上方から下方に伝って排水隙間３５に到達する。排水隙間３５に到達した水は、排水隙間３５を通して排水空間２４に排出され、例えば側鋼板１２の内面を伝って側鋼板１２の下端から当該合成床版４０の外部に排出される。
【００５４】
さらに例えば図１１に示す合成床版５０のように、ベンドプレート１６の横板部１８が、底鋼板１１との間に前記排水空間２４を画成するように、側鋼板１２から上方に離間して配設された状態で、前記第２締結手段２５により底鋼板１１に固定されていてもよい。なお、横板部１８の下面と底鋼板１１の上面との間には、前述のようなスペーサ部材が挟持されていてもよい。
この合成床版５０では、側鋼板１２と床版コンクリート１４との間の境界面３７に浸入した水は、この境界面３７を上方から下方に伝った後、ベンドプレート１６と床版コンクリート１４との間の境界面５１を伝い、その後、排水隙間３５に到達する。排水隙間３５に到達した水は、排水隙間３５を通して排水空間２４に排出され、例えば底鋼板１１の上面を水平方向の外側に向けて流動し、底鋼板１１の側端１１ａから当該合成床版５０の外部に排出される。
【００５５】
また前記実施形態では、側鋼板１２と縦板部１７とが第１締結手段１９により固定され、底鋼板１１と横板部１８とが第２締結手段２５により固定されているものとしたが、これに限られるものではなく、例えば溶接などにより固定されていてもよい。
さらに前記実施形態では、底鋼板１１と側鋼板１２とがベンドプレート１６を介して接続されているものとしたが、これに限られるものではなく、底鋼板１１と側鋼板１２とが例えば溶接などにより固定されていてもよい。
【００５６】
また前記実施形態では、基体１３は、底鋼板１１および側鋼板１２を備えており、鋼材により形成されているものとしたが、これに限られるものではなく、例えばＦＲＰなど、鋼材とは異なる材料により形成してもよい。
さらに前記実施形態では、本願発明を合成床版に適用した場合を説明したが、合成床版とは異なる構造に適用してもよい。
【００５７】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５８】
１０、４０、５０  合成床版
１１  底鋼板（底板部材）
１１ａ  側端
１２  側鋼板（側板部材）
１３  基体
１４  床版コンクリート（コンクリート部材）
１５  接続部分
１６  接続部材（ベンドプレート）
１７  縦板部（側部）
１８  横板部（底部）
２４  排水空間
２６  スペーサ部材
３５  排水隙間
３６  流通制御部材
３７  境界面
Ｂ  橋梁
【図１】
2013163950.tif 000003
【図２】
2013163950.tif 000004
【図３】
2013163950.tif 000005
【図４】
2013163950.tif 000006
【図５】
2013163950.tif 000007
【図６】
2013163950.tif 000008
【図７】
2013163950.tif 000009
【図８】
2013163950.tif 000010
【図９】
2013163950.tif 000011
【図１０】
2013163950.tif 000012
【図１１】
2013163950.tif 000013